(57)【要約】【課題】ＬＥＤ、半導体サイリスタ共に１個の価格が高価であるので、如何に少量で効果をもたらすかが難問である。【解決手段】価格を下げなくとも、音楽教育と視覚教育が同時に発展出来るメリットを考えれば、充分採算が取れる。【選択図】図１    図２
0003117844.tif 000002
【実用新案登録請求の範囲】
【請求項１】
（１）
ＤＶＤ音響等のプログラムソース信号、アンプ出力の大小における音量質を複数のサイリスタ回路を用いて光量質に変換光源をランダムに調光する
サイリスタ回路とは図面１、図面２で表示する。
【考案の詳細な説明】
【技術分野他】
イルミネーションやディスプレイの調光にステレオ，ＤＶＤ等の音量質（倍音、半音）を光量質に変換してレイアウトする。
具体的にはステレオ等のアンプからＳ，Ｃ、Ｒ、トライアック、トランジスターを用いて高音域を青のＬＥＤ等で中音は緑、低音は赤色に発光させ又明度順の強弱光を創出する。
その発光源をある間隔をおいて青、緑、赤と並べて調光可能に配置する。
細部の回路は明度順Ｓ，Ｃ，Ｒ自動コントローラーを使用して各素子の調光を自動コントローラーで行える。
回路はＰ，Ｎ，Ｐ，Ｎ，Ｐ，Ｎトランジスターを使用した点弧回路とＳ，Ｃ，Ｒ逆並列回路を三組組み合わせたもので青、緑、赤の三原色のＬＥＤ等を調光して七色の変化を出す。
図面１のＳ，Ｃ，Ｒ部に図面２のコントローラー部を組み合わせて使用。
コントローラー部のターミナルＢ，Ｂ１，Ｒ，Ｒ１，Ｇ，Ｇ１，ＣｏｍをそれぞれＳ，Ｃ，Ｒ部の同じ符号に接続、発光を自動的に変化させる。
明度比で人間の眼の色感は約緑６、赤３、青１の割合で明度の大小を感じる。
ブロッキングオシレーターでパルス波を作り、クリップフロップ三段で順次分周して矩形波を作り各色に対応すれば波形が出来る。
Ｎｏ、２の図面が配線図で左側のトランジスター（全部２ＳＡ５９４を使用）がブロッキング発振器でベースに接続の１ＭΩのボリウム（ＶＲ１）で発振周波数の変化をし、コレクター負荷のトランスの一次コイルをダイオードにつけ高いバックパルスを防ぎ、このパルスを次段のフリップフロップに流す連動スイッチのＳ１はＢ、Ｄ２つのポジションを設けＢは漸次明るく，Ｄは暗くなる方向に動く。
フリップフロップの矩形波は５００ＫΩのＶＲ２と１０μＦコンデンサーで積分され、漸次変化するエミッターホロワのトランジスターＱ８により出力インピーダンスを下げＶＲ３で出力振幅を調整
Ｎｏ１図のＳ，Ｃ，Ｒ点弧回路のトランジスターのベースに入る。
このエミッターはＶＲ４のバイアスを変化させ全体の明度調整をする。
Ｓ２スイッチは内外２つのポジションが有り、内は内部の波形発生回路、外は外部の波形発生回路につなぐことが出来、外部とは音楽の周波数によって色を変化させる回路で有る。
又オペアンプを応用して３相発振回路を作り、３相式調光器も出来る。
【図１】
0003117844.tif 000003
【図２】
0003117844.tif 000004
【手続補正書】
【提出日】平成17年6月27日(2005.6.27)
【手続補正１】
【補正対象書類名】実用新案登録請求の範囲
【補正対象項目名】全文
【補正方法】変更
【補正の内容】
【実用新案登録請求の範囲】
【請求項１】
明度順ＳＣＲ自動コントロール回路と
明度順ＳＣＲ自動コントロールのコントローラ回路の構成機器を
用いて電子回路を作成音源を発光源に変調、音源の周波数に合わせて発光源の波長強弱光を創生点滅をコントロールする機器
【手続補正２】
【補正対象書類名】明細書
【補正対象項目名】全文
【補正方法】変更
【補正の内容】
【考案の詳細な説明】
【技術分野】
【０００１】図１のＳＣＲ部に図２コントローラ部を組み合わせて製作  図２、コントローラ部のターミナルＢ、Ｂ１、Ｒ、Ｒ１，Ｇ，Ｇ１、ＣＯＭをそれぞれ図１、ＳＣＲ部の同符号に接続発光を自動的に変調、  ブロッキングオシレーターでパルス波を作りクリップフロップ三段で順次分周して矩形波を作り各色に対応すれば波形が出来る。
図２、の配線図で左側のトランジスタがブロッキング発振器でベースに接続発振周波数の変化をする。コレクター負荷のトランスの一次コイルをダイオードにつけ高いバックパルスを防ぎこのパルスを次段のフリップフロップに流す、
連動スイッチのＳ１はＢ、Ｄ、２つのポジションを設ける
Ｂは漸次明るくＤは暗くなる方向に動く。
Ｓ２のスイッチは内外２つのポジションが有り内は内部の波形発生回路、外は外部の波形発生回路に接続、外部とは音源の周波数によって発光色を変化させる電子回路の設計図。
【背景技術】
【０００２】  交流電圧制御回路には様々な方式が有るが、何れも位相制御によって出力電圧の実効値を変化する、その応用分野は交流電圧の可変実行値が要求される。
従来の調光装置は主にオートトランス方式であるが、比較してサイリスタ調光装置は容積も重量も約１／３と軽い、制御はトリガ回路の微小信号を調整すれば複雑緻密な照明手法も一つの操作卓で自由に操作出来る。
白熱電燈等は点灯前後大幅に抵抗値が変化、全点弧の状態に設定始動させると非常に大きな突入電流（定格電流の７〜１０倍）これを抑制する為にトリガパルスの制御角を時間とともに除々に小さくする。ソフトスタート方式の制御方式が取られている又蛍光灯は直列に安定器としてインダクタンスが挿入、始動時の大きな突入電流発生はない、始動時電流の立ち上がりの為トリガパルス幅が狭い時サイリスタはターンオン出来ない。これはサイリスタ素子のラッチング電流の為で有るターンオン直後にゲート電流を取り去っても、その後サイリスタがオン状態を維持することが出来る最小のアノード電流である。家庭電器製品等の調光装置はトライアック回路やブリッジ回路のほうが経済的に有利である。
【考案の開示】
【考案が解決しようとする課題】
【０００３】  白熱電燈は供給電気エネルギーの数％しか可視光変換されず熱エネルギーになってしまう、蛍光灯の場合も白熱電燈の数倍程度の変換効率である。
ＬＥＤ照明は蛍光灯の変換効率の約２倍、さらに高輝度のＬＥＤを開発赤、緑、青を組み合わせ多種類の発光色で多波長変換はもちろん白色発光（３源色発光しか出来ていない）フルカラーデスプレイが出来る。
光半導体代表格ＬＥＤは超小型化、開発すれば大型化も出来る
メリットは低発熱、安全性、長寿命（メンテナンス不要）であるが
実用化には電源回路の工夫が重要ポイントでありノイズ対策も必要になって来る
【課題を解決しようとするための手段】
【０００４】照明の高周波電源を開発して少なくとも周波数５０ＫＨｚ、照明効率２０％アップ、リアクトルレス化で大幅な重量の軽量化とフイラメントレス蛍光灯で長寿命（１３．５６ＭＨｚ領域）調光機能、電子制御化が図れる。
【考案の効果】
【０００５】
【考案を実施するための最良の手段】
【０００６】  サイリスタの可制御形はラッチ形でありサイリスタの動作は二つのトランジスタの接合体で構成その電流増幅作用と正帰還作用のスイッチング機能である。
デバイスは動作中の電圧及び電流が制限を越えてはならない安全動作領域（ＳＯＡ）が有りその他ｄｉ／ｄｔ、ｄｖ／ｄｔなどデバイスの安全動作を確保保護する為スナバ回路を備える必要が有る。又Ｐ，Ｎ接合部にｉ層を挿入してデバイスの高耐圧化を図ることが出来る。
【実施例１】
【０００７】図１と図２の回路で構成された電子機器であり
最初の音源はステレオ等のアンプやオペレーションアンプから導入して、
明度順ＳＣＲ自動コントロールを使用して各素子の調光を自動コントローラーで行える。回路はＰＮ，ＰＮ，ＰＮトランジスターを使用した点弧回路とＳＣＲ逆並列回路を三組組み合わせたもので青、緑、赤の三原色の発光を調光七色の変化を出す。図１のＳＣＲ部に図２のコントローラー部を組み合わせて使用する、
コントローラー部のターミナルＢ，Ｂ１，Ｒ，Ｒ１，Ｇ，Ｇ１，ＣｏｍをそれぞれＳＣＲ部の同じ符号に接続、発光を自動的に変化させる。
明度比で人間の眼の色感は約緑６、赤３、青１の割合で明度の大小を感じる、ブロッキングオシレーターでパルス波を作りクリップフロップ三段で順次分周して矩形波を作り各色に対応すれば波形が出来る。【０００８】  図２が配線図で左側のトランジスタ（全部２ＳＡ５９４を使用）がブロッキング発振器でベースに接続の１ＭΩのボリウム（ＶＲ１）で発振周波数の変化をし、
コレクター負荷のトランスの一次コイルをダイオードにつけ高いバックパルスを防ぎ、このパルスを次段のフリップフロップに流す連動スイッチのＳ１はＢ，Ｄ二つのポジションを設けＢは漸次明るくＤは暗くなる方向に動く。
フリップフロップの矩形波は５００ＫΩのＶＲ２と１０μＦコンデンサーで積分され、漸次変化するエミッターホロワのトランジスタＱ８により出力インピーダンスを下げＶＲ３で出力振幅を調整、図１のＳＣＲ点弧回路のトランジスタのベースに入る。
このエミッターはＶＲ４のバイアスを変化させ全体の明度調整をする
Ｓ２のスイッチは内外二つのポジションが有り、内は内部の波形発生回路、
外は外部の波形発生回路につなぐことが出来、外部とは音源の周波数によって発光を変調させる回路である。オペアンプで三相発振回路を作り三相式調光器も製作出来る。
【産業上の利用可能性】
【０００９】  防犯施設には赤外線レーザービームを屋外に張り巡らしてビームを遮るとライトが点灯しセキュリテイ警備会社から警備員が飛んで来る。
ビームだと赤外線スコープでよけて潜り抜けるため効果が余り無く犯罪が多発している、音源探知防犯施設だと屋内にも屋外でも設置出来
音源探知警報で屋上灯を点灯近所に警報を発することが出来る、音源によってはガラスを打ち破って進入を図っているか、屋内で金庫をこじ開けて盗もうとしているのか音源で判断できる、セキュテイ会社の防犯デスプレイにも光源のパルスを調光すれば判断出来警報設備として利用される。
夜間の工場や倉庫作業を行う場合音源で感知屋上灯を点灯できる
又今流行のライトアップやＬＥＤ照明のイルミネーションで音楽に合わせて調光をしてムードを盛り上げる癒し系にも利用出来る。
【図面の簡単な説明】
【００１０】
【図１】明度順ＳＣＲ自動コントロール回路
【図２】明度順ＳＣＲ自動コントロールのコントローラー回路図１と図２を組み合わせて操作